(57)【特許請求の範囲】
【請求項１】
水を主成分とした内容液を氷結させて使用することを目的とし、円筒状の胴部(4)を有する合成樹脂製丸形壜体であって、
底部(5)の底面に、周縁部(12)に配設した接地部(12s）と、該接地部(12s）の内周端を基端として底面壁を壜体の内部方向に陥没させて形成した陥没部(16)とを有し、
該陥没部(16)の中央部にはドーム状に陥没形成される陥没凹部(15)を配設し、また該陥没凹部(15)の外周縁部と前記接地部(12s）の内周端との間の前記接地部(12s）の内側に底面壁を周方向に沿って壜体の外部方向に突出させて形成した突条(13)を一つ配設し、該突条(13)の内側に上方に向かって縮径状に形成された段部(15s)を配設し、
前記陥没部(16)を形成する底面壁の弾性的な膨出状の下方変位により内容液の氷結による体積増加を吸収可能に、また前記下方変位により、突条(13)が前記接地部(12s)よりも下方に突出して該接地部(12s)の替わりに接地機能を発揮する構成としたことを特徴とする合成樹脂製丸形壜体。
【請求項２】
突条(13)を周突条とした請求項１記載の合成樹脂丸形製壜体。
【請求項３】
突条(13)の断面形状をＵ字状とした請求項１または２記載の合成樹脂製丸形壜体。
【請求項４】
円筒状の胴部(4)に複数の周溝リブ(7)を形成した請求項１、２または３記載の合成樹脂製丸形壜体。
【発明の詳細な説明】
【技術分野】
【０００１】
本発明は、水を主成分とした内容液を氷結させて使用することを目的とした合成樹脂製丸形壜体に関するものである。
【背景技術】
【０００２】
ポリエチレンテレフタレート（以下ＰＥＴと記す。）樹脂製等の合成樹脂製壜体は水、スポーツ飲料水、お茶、ジュース等の飲料用として幅広く使用されている。また、この種の壜体は、商品名等の表示あるいは意匠の観点から胴部を、印刷したシュリンクフィルムで外装した状態で製品化される。たとえば特許文献１には胴部をシュリンクフィルムで外装した丸形壜体に関する発明が記載されている。一方このような壜体は夏季等においては冷凍庫で内容液を氷結させた状態のものを徐々に溶かしながら飲用に供する等の使用のされ方もしている。
【先行技術文献】
【特許文献】
【０００３】
【特許文献１】特開２００１−３２２６１６号公報
【発明の概要】
【発明が解決しようとする課題】
【０００４】
ここで、水を氷結した場合にはその体積が略１．０９倍となるので、キャップで密封した壜体では氷結に伴う体積増加により内圧が上昇して壜体が破損する恐れ、あるいはキャップが外れたり破損したりすると云う問題がある。
また、壜体の破損まで至らなくとも壜体が大きく変形し外観が損なわれる、また底部が変形して壜体の起立性が損なわれると云う問題がある。
【０００５】
ここで、図５と図６に丸形壜体の従来例を示しているが、この壜体１０１の減圧吸収パネル１０７のように、胴部１０４の周壁に凹状部分を形成しておけば、この部分の膨出状の変形により氷結に伴う内容液の体積増加を吸収する機能（以下、体積増加吸収機能と記載する。）を発揮させることができる。
ただ、図５、６の壜体１０１のようにシュリンクフィルム１０９で外装したものでは、上記凹状部分の膨出により（図６中の二点鎖線の部分参照）、シュリンクフィルム１０９が破断する、あるいは破断まで至らなくとも皺が発生して商品として提供できなくなる等の問題がある。
【０００６】
そこで本発明は、合成樹脂製丸形壜体において、シュリンクフィルムでの外装を含めた外観性や、自立性を損なうこと無く、氷結に伴う内容液の体積増加に係る体積増加吸収機能が効果的に発揮することのできる底部の形状を創出することを課題とするものである。
【課題を解決するための手段】
【０００７】
上記課題を解決するための手段のうち、本発明の主たる構成は、
水を主成分とした内容液を氷結させて使用することを目的とし、円筒状の胴部を有する合成樹脂製丸形壜体において、
底部の底面に、周縁部に配設した接地部と、接地部の内周端を基端として底面壁を壜体の内部方向に陥没させて形成した陥没部とを有し、
この陥没部の中央部にはドーム状に陥没形成される陥没凹部を配設し、
またこの陥没凹部の外周縁部と接地部の内周端との間の接地部の内側に底面壁を周方向に沿って壜体の外部方向に突出させて形成した突条を一つ配設し、突条の内側に上方に向かって縮径状に形成された段部を配設し、
陥没部を形成する底面壁の弾性的な膨出状の下方変位により内容液の氷結による体積増加を吸収可能に、また前記下方変位により突条が接地部よりも下方に突出して接地部の替わりに接地機能を発揮する構成とする、と云うものである。
【０００８】
上記構成の壜体は底部に形成した陥没部の膨出状の下方変位により内容液の氷結に係る体積増加吸収機能を発揮させようとしたものである。
そして上記構成の従来にない特徴は、陥没部の下方変位により突条が接地部よりも下方に突出して接地部の替わりに接地機能を発揮する構成とする点にあり、当該構成により内容液の氷結により陥没部が周縁部に配設された接地部を越えて、膨出状に下方変位した際にも、接地部よりも下方に突出した突条が接地部としての機能を発揮するので、壜体の自立性を十分に確保することが可能となる。
【０００９】
また、上記のように突条が接地部としての機能を発揮するので、接地部による自立性の確保を考慮することなく、陥没部を大きく下方変位させることができ、体積増加吸収機能を十分大きく発揮させることが可能となる。
また、陥没部の外周縁部近傍に周方向に沿って突条を配設することにより、この突条の周リブ的な作用が発揮され、上記した陥没部の下方変位を周方向に沿って均一に、すなわち等方的に進展させることができ、陥没部の局部的な変位を抑制して、外観の毀損を効果的に抑制できると共に、上記突条による接地部としての機能を十分に発揮させることが可能となる。
【００１０】
また、氷結が進行した際にも胴部の円筒状の形状は保持されるので、胴部に外装したシュリンクフィルムの破断やズレに係る問題は回避することができる。
また、使用中、内容液が解凍した際等には、陥没部は弾性的な復元力により元の形状に戻り、接地部が再び接地機能を発揮する。
【００１１】
本発明の他の構成は上記主たる構成において、突条を周突条とする、と云うものである。
【００１２】
上記構成により、突条を周突条とすることにより、周リブ的な作用がより効果的に発揮され、陥没部の下方変位をより等方的に進展させることができる。
【００１３】
本発明のさらに他の構成は上記主たる構成において、突条の内側に縮径状に形成された段部を介して陥没凹部を配設する、と云うものである。
【００１４】
上記構成によれば、突条と段部の周リブ的な作用が相俟って、陥没部の下方変位をより等方的にスムーズに進行させることができる。
【００１５】
本発明のさらに他の構成は上記主たる構成において、突条の断面形状をU字状とする、と云うものである。
【００１６】
上記構成により、U字状断面の突出する先端部を利用して接地機能を安定して発揮させることができる。
【００１７】
本発明のさらに他の構成は上記主たる構成において、胴部に複数の周溝リブを形成する、と云うものである。
【００１８】
上記構成により、円筒状の胴部に複数の周溝リブを形成することにより、胴部の面剛性を大きくして高い保形性を付与すると共に、壜体内部が減圧状態になった際にも胴部の局部的な陥没変形を効果的に抑制することができる。
【発明の効果】
【００１９】
本発明は、上記した構成となっているので、以下に示す効果を奏する。
本発明の主たる構成を有する壜体にあっては、内容液の氷結により陥没部が周縁部に配設された接地部を越えて、膨出状に下方変位した際にも、接地部よりも下方に突出した突条が接地部としての機能を発揮するので、壜体の自立性を十分に確保することができ、そして接地部による自立性の確保を考慮することなく、陥没部を大きく下方変位させることができ、体積増加吸収機能を十分大きく発揮させることができる。
【００２０】
また、陥没部の外周縁部近傍に突条を配設することにより、陥没部の下方変位を周方向に沿って等方的に均一に進展させることができ、陥没部の局部的な変形を抑制して、外観性を損なうことなく内容液の氷結に係る体積増加吸収機能を発揮させることができる。
なお、本発明の壜体は陥没部の膨出状の下方変位により内容液の氷結に係る体積増加吸収機能を発揮させようとしたものであり、氷結が進行した際にも胴部の円筒状の形状は保持されるので、胴部に外装したシュリンクフィルムの破断やズレに係る問題は回避することができる。
【図面の簡単な説明】
【００２１】
【図１】本発明の壜体の一実施例を示す正面図である。
【図２】図１の壜体の底面図である。
【図３】図１の壜体の底部近傍を拡大して示す縦断面図である。
【図４】比較例の壜体の底部近傍を拡大して示す縦断面図である。
【図５】従来例の壜体の正面図である。
【図６】図５の壜体の、図５中のＡ−Ａ線に沿って示す平断面図である。
【発明を実施するための形態】
【００２２】
以下、本発明の実施の形態を実施例に沿って図面を参照しながら説明する。
図１〜３は、本発明による合成樹脂製壜体の第一実施例を示すもので、図１は正面図、図２は底面図である。
また図３は底部５近傍を拡大して示す縦断面図であり、図中の二点鎖線は内容液の氷結に伴い底面壁が膨出状に下方変位した状態を示す。
この壜体１は口筒部２、肩部３、円筒状の胴部４、底部５を有し、容量が２８０ｍｌのＰＥＴ樹脂製の２軸延伸ブロー成形品である。
【００２３】
胴部４には面剛性を高くする手段の一つとして３ケの周溝リブ７を形成し、胴部４を高い形状保形性を有するものとしている。勿論、面剛性を高くするための手段は周溝リブ７に限定されるものではない。
そして、この胴部４の下端には湾曲筒状に成形されたヒール壁部１１を介して底部５が連設されており、この底部５の底面の周縁部１２が接地部１２ｓとなっている。
【００２４】
また、周縁部１２の内側は底面壁を壜体の内部方向に陥没させた陥没部１６となっている。
この陥没部１６の形状は全体としておおよそ円錐台形状であるが、中央部にはドーム状に陥没形成される陥没凹部１５が、外周縁部近傍には周方向に沿って、底面壁を壜体の外部方向に突出させて形成した断面形状がＵ字状の突条１３が周突条として周設されており、さらに、突条１３の内側では上方に向かって縮径状に形成された段部１５ｓが陥没凹部１５の基端部に連結している。
【００２５】
上記した本実施例の壜体１について、図１に示されように肩部３の下端部から胴部４の下端部にかけての高さ範囲を全周に亘ってシュリンクフィルム９で外装した状態で、２０℃の水を、ヘッドスペースが１４ｍｌとなるように充填し、キャップで密封後、正立状態で−２０℃の冷凍庫内に入れて中の水を氷結させる実験を実施し、氷結に伴う壜体１の変形や、シュリンクフィルム９の状態の変化を観察した。
【００２６】
上記の氷結実験後、肩部３から胴部４にかけて周壁の変形は見られず、従ってシュリンクフィルム９の破断は勿論なく、皺の発生もほとんど見られなかった。一方、底面壁は図３中の二点鎖線で示したように、陥没部１６が壜体１の外側方向に、膨出状に、接地部１２ｓを越えて大きく下降変位した状態となり、この下降変位により内容液の氷結に係る体積増加吸収機能が十分に発揮されることが確認された。
【００２７】
また、陥没部１６の下降変位後は図３中の二点鎖線で示されるように突条１３が接地部１２ｓよりも下方に突出し、この突条１３により接地部１２ｓの替わりに接地機能が発揮され、氷結状態でも壜体１の起立性を十分に保持できることが確認された。
ここで、陥没部１６の外周縁部近傍に配設される突条１３の周リブとしての作用効果、そして段部１５ｓの作用効果が相俟って、上記した陥没部１６の下方変位を周方向に沿って均一に、すなわち等方的に進展させることができ、陥没部１６の局部的な変形を抑制して、外観の毀損を効果的に抑制できると共に、上記突条１３による接地機能が安定して発揮されることが確認できた。
【００２８】
次に、上記実施例の壜体に対し、全体的な形状は図１、２に示される実施例の壜体と同様にして底部５の陥没部１６の形状を、周突条１３を配設せず、図４中の実線で示したような形状とした比較例の壜体を用意し、実施例の壜体と同様にシュリンクフィルムで外装して、氷結実験を実施し、氷結に伴う壜体の変形や、シュリンクフィルムによる外装状態の変化を観察した。
【００２９】
そして、この比較例の壜体でもシュリンクフィルムの破断は勿論なく、皺の発生もほとんど見られなかった。
一方、陥没部１６下方変位は周方向に沿って均一に、すなわち等方的に進展せず、たとえば図４中、二点鎖線で示したように、傾いたような状態で下方変位し、体積増加吸収機能は発揮されるものの、外観性と共に起立性が損なわれてしまう結果となった。
【００３０】
以上、実施例に沿って本発明の構成とその作用効果について説明したが、本発明の実施の形態は上記実施例に限定されるものではない。
例えば、突条１３の断面形状やその幅、突出高さ等は壜体の大きさや肉厚、壜体の自立性等を考慮すると共に、底面壁の変形のし易さ等の変形態様に係る計算や試験結果を踏まえながら適宜設定することができる。
また、上記実施例では突条１３を周突条としたが、多数の突条１３を欠部を挟んで周状に配設する構成とすることもできる。
【産業上の利用可能性】
【００３１】
以上説明したように本発明の合成樹脂製丸形壜体は、内容液を氷結した状態でも、外観や起立性を損なうことなく安心して使用できるものであり、内容液を氷結して使用する分野で幅広い使用が期待される。
【符号の説明】
【００３２】
１  ；壜体
２  ；口筒部
３  ；肩部
４  ；胴部
５  ；底部
７  ；周溝リブ
９  ；シュリンクフィルム
１１；ヒール壁部
１２；周縁部
１２ｓ；接地部
１３；突条
１５；陥没凹部
１５ｓ；段部
１６；陥没部
１０１；壜体
１０２；口筒部
１０３；肩部
１０４；胴部
１０５；底部
１０６；周溝
１０７；減圧吸収パネル
１０９；シュリンクフィルム
【図１】
0005630730.tif 000002
【図２】
0005630730.tif 000003
【図３】
0005630730.tif 000004
【図４】
0005630730.tif 000005
【図５】
0005630730.tif 000006
【図６】
0005630730.tif 000007